(57)【要約】【課題】  操作性、機能性を重視し、片手で操作しやすくコンパクトに考慮し、誰でも散歩出来るよう音センサーを設けた構造のペット用携帯トイレ。【解決手段】  ペットの散歩に使用し、片手で開閉でき、ロールペーパー７を内側に介在させ、ベルトコンベア１７でロールペーパー７を送り糞受け箱１２で処理する。外側に取っ手、太陽光パネル４とペットボトル受け３、音センサー２７を備えたペット用携帯トイレ。【選択図】図２
2015019663.tif 000002
【特許請求の範囲】
【請求項１】
本体上下部に開閉可能なボックスであって、このボックスが開放された状態において、当該ボックス下部内に排泄された糞を受け取るロールペーパーと、この糞をロールペーパーに包み込ませるペーパー押さえと、前記ボックス下部を前記ボックス上部側に向けて閉じることにより、前記ロールペーパーに包み込まれた糞を収納させる糞受け箱とを、具備することを特徴とするペット用携帯トイレ。
【請求項２】
ボックスには、上下に開閉出来る切れ目線を入れ、そのボックスの切れ目線前方を皿状に広げ、切れ目線の最終点を支点とし、上下に開閉しその運動は紐で連動させ、その運動は上部内側に備えた紐巻き上げ装置で操作し、ボックスの上側上部外側には取っ手を設け、上部外側側部にペットボトル受けを設けたことを特徴とする、請求項１に記載のペット用携帯トイレ。
【請求項３】
ボックスの上部内側にロールペーパーホルダを設け、そこにロールペーパーを差し込みロールペーパーの先端をボックスの上部内側から下方向内側にまわしボックス切れ目線の最終支点の内側を通して、ボックス下部の下方向内側に設けたベルトコンベアと、その下側にローラーを設けてその間をロールペーパー先端を通し、ベルトコンベアの先端から上側に回し、ベルトコンベア上側をロールペーパーの先端が一定のところまで送りセンサーで止まることを特徴とする、請求項２に記載のペット用携帯トイレ。
【請求項４】
ロールペーパーの上に糞が落ちたら片側のベルトコンベアの内側に設けたペーパー押さえが１８０度回転し、糞をロールペーパーで包んだ後ペーパー押さえは戻り、糞を包んだロールペーパーがペーパー押さえの中心のところまで進んだのち停止し、下部ボックス先端を二股に設けた片方の水滴を含んだ水容器がロールペーパーの上に触れ水滴をロールペーパーに付着させ戻り、その後に、もう片方のペーパー押さえが１８０度回転しロールペーパーで糞を二重に包むことを特徴とする、請求項３に記載のペット用携帯トイレ。
【請求項５】
ロールペーパーで糞を二重に包んだ後ベルトコンベアが回転し、カットされたロールペーパー先端がセンサーまで進むと同時に、紐巻き上げ装置も回転し徐々に巻き上げ紐が巻き上げられ、下部ボックスの先端が引き上げる、その結果、ロールペーパーで包んだ糞が、ベルトコンベアから回転ローラーを徐々に滑りおり、受け箱に投函されることを特徴とする、請求項４に記載のペット用携帯トイレ。
【発明の詳細な説明】
【技術分野】
【０００１】  本発明は、ペットの散歩に使用する携帯トイレ。
【背景技術】
【０００２】  従来、ペットの散歩にはバッグやテッシュ、ビニール袋等を持参して散歩に出かけ、散歩中にペットが糞を排泄した場合、通常糞を一度地面や路上に落としてからの処理のため、後始末の処理がきれいに出来にくかった。そのため、例えば特許文献１は道路に糞が落ちる前にキャッチして処理をすることで路上や芝等が汚れることが無い、ペット用携帯トイレが開示されている。
【先行技術文献】
【特許文献】
【０００３】
【特許文献１】特開２００２−４５０７３
【発明の概要】
【発明が解決しようとする課題】
【０００４】  しかしながら、前記従来の技術においては、排泄物の糞を受け止める際ペットが動く可能性も有り、その行動に合わせる操作は難問で、片手はリードを持っており、操作しにくい点が問題であった、また、毎回ペットの散歩に動向する飼い主の命令には従うが、時々の動向する人によっては、ペットが命令に従わないという難点も問題があった。【０００５】  本発明は従来の問題を解決し、操作性や持ち運び、糞のキャッチ回数も片手で操作ができ、また、排泄物の処理もボタンで操作しやすく、誰でも散歩ができることを目的とする。
【課題を解決するための手段】
【０００６】  本体上下部に開閉可能なボックスであって、このボックスが開放された状態において、当該ボックス下部内に排泄された糞を受け取るロールペーパーと、この糞をロールペーパーに包み込ませるペーパー押さえと、前記ボックス下部を前記ボックス上部側に向けて閉じることにより、前記ロールペーパーに包み込まれた糞を収納させる糞受け箱とを、具備することを特徴とする。【０００７】  ボックスには、上下に開閉出来る切れ目線を入れ、そのボックスの切れ目線前方を皿状に広げ、切れ目線の最終点を支点とし、上下に開閉しその運動は紐で連動させ、その運動は上部内側に備えた紐巻き上げ装置で操作し、ボックスの上側上部外側には取っ手を備え、上部外側側部にペットボトル受けを設けたことを特徴とする。【０００８】  ボックスの上部内側にロールペーパーホルダを設け、そこにロールペーパーを差し込みロールペーパーの先端をボックスの上部内側から下方向内側にまわしボックス切れ目線の最終支点の内側を通して、ボックス下部の下方向内側に設けたベルトコンベアと、その下側にローラーを設けてその間をロールペーパー先端を通し、ベルトコンベアの先端から上側に回し、ベルトコンベア上側をロールペーパーの先端が一定のところまで送りセンサーで止まることを特徴とする。【０００９】  ロールペーパーの上に糞が落ちたら片側のベルトコンベアの内側に設けたペーパー押さえが１８０度回転し、糞をロールペーパーで包んだ後ペーパー押さえは戻り、糞を包んだロールペーパーがペーパー押さえの中心のところまで進んだのち停止し、下部ボックス先端を二股に設けた片方の水滴を含んだ水容器がロールペーパーの上に触れ水滴をロールペーパーに付着させ戻り、その後にもう片方のペーパー押さえが１８０度回転しロールペーパーで糞を二重に包むことを特徴とする。【００１０】  ロールペーパーで糞を二重に包んだ後ベルトコンベアが回転し、カットされたロールペーパー先端がセンサーまで進むと同時に、紐巻き上げ装置も回転し徐々に巻き上げ紐が巻き上げられ、下部ボックスの先端が引き上げる、その結果、ロールペーパーで包んだ糞が、ベルトコンベアから回転ローラーを徐々に滑り下り、糞受け箱に投函されることを特徴とする。
【発明の効果】
【００１１】  本発明は上記のような構成とし、片手で操作出来るようボックス形状で、上下の開閉やベルトコンベアをモーターで作動し、ロールペーパー先端の移動をセンサーで制御する。そのロールペーパーで糞を包み、ボックスに取り付けた脱着可能な糞受け箱で処理する。また、そのボックスの外側上部に取っ手を設けてペットとともに行動出来るようにした。
【図面の簡単な説明】
【００１２】
【図１】ボックス外形の斜視図。
【図２】ボックスの開いた状態の斜視図。
【図３】ロールペーパーの流れと、糞の処理、そしてボックス開閉の分解図。
【図４】ボックス外形の開閉の斜視図。
【図５】音センサーの斜視図。
【図６】制御手段の簡単なブロック図。
【発明を実施するための形態】
【００１３】  図１は本発明の携帯トイレで、閉じた状態の携帯トイレの斜視図。その形状はボックス形や角柱、円柱または楕円柱、多角形とする。ボックス１の上部から切れ目線６０を下方向側面に切れ目を入れ、下側側面の切れ目線最終支点７０を始点として、上下に開閉できるように設け、特にスムーズに開けるよう形状記憶バネ８を設ける。また、ボックス１側面に太陽光パネル４ともう一方の側面にペットボトル受け３を設け、そのペットボトル受け３は飲料皿にも使用できるように設ける。ボックス１上部外側に取っ手２とボックス開閉のスイッチ５を設ける。また、取っ手２の内側に脱着可能な音センサー２７を設け、この電力は太陽光パネル４の電力や乾電池等を使用出来るよう設ける。
【００１４】  図２は本発明の携帯トイレで、使用時での状態の携帯トイレの斜視図である。ボックス上部４０の内側上部にロールペーパーホルダ６を設けてロールペーパー７を差し込む、その先端をボックス上部４０の内側の壁にそってガイドローラー１０ａの下からボックス下部５０のガイドローラー１１ｂの上を通し、内側壁にそって下におろす、ガイドローラー１３ｃの外からガイドローラー１５ｄとベルトコンベア１７の間を通して、ベルトコンベア１７先端へ送りベルトコンベア１７の上部に回し、ロールペーパー７の先端をセンサー２０まで移動する。この状態が使用時の状態である。
【００１５】  ボックス形状の開閉先端方向を糞１９が受けやすくボックス１の先端周辺を皿状に広くし、その中心を目安にロールペーパー７の上へ糞１９を落とす。また安定性を保つため、取っ手２やペットボトル８を上部に備え、ロールペーパー７や水容器２５を上部の内側に配置してあるため、糞１９が落ちる直前までボックス１を移動出来るようボックス上部４０に重みが加わるよう考慮した。
【００１６】  図３は本発明のペット用携帯トイレで、ロールペーパー７の流れと糞１８を包んで処理し、ボックス１が閉じるまでの平面図で、図３−▲１▼はボックス下部５０の詳細平面図であり、図３−▲２▼は糞１９がロールペーパー７の上に落ち、ボックス開閉スイッチ５を押してからは、図３−▲１０▼ボックス１が閉じるまでを電力で動かす自動制御とし、太陽光パネル４の電力や乾電池の電力等で作動する。
【００１７】  図３−▲３▼は、ロールペーパー７の下にあるペーパー押さえ１６が１８０度回転し直ちに戻る、図３−▲４▼は、糞１９を包んだ状態で、図３−▲５▼は、糞１９を包んだ状態でベルトコンベア１７が動きペーパー押さえ１６のセンターまで進み静止する。また、ボックス下部５０先端を二股に設けた片方に水滴を含んだ水容器１８が、ベルトコンベア１７先端から上側にまわしたロールペーパー７の上側先端に付着させる。またこの水容器１８は高吸水性ポリマーや不織布、スポンジ等でも考慮し、操作は磁石や空気圧、バネ等で制御する。また、水で切断出来ない材質のロールペーパーの場合は水容器１８の代わりにカッター等を装着し切断する。
【００１８】  図３−▲６▼は、ロールペーパー７に水が付着後、もう片方のペーパー押さえ１６が１８０度回転し、ロールペーパー７で糞１９を二重に包みこみペーパー押さえ１６は元に戻る。図３−▲７▼は、ベルトコンベア１７が動き始めると同時に、ボックス下部５０も紐巻き上げ装置２４が作動し同時に動き始めると、図３−▲８▼は、ベルトコンベア１７に乗っている糞１９は、徐々に回転ローラー２２に滑り落ちる。図３−▲９▼から図３−▲１０▼は、回転ローラー２２に乗った糞が滑り降り糞受け箱１２に投函され、図３−▲１０▼は、ボックス１が閉じた状態になり、この状態になった時に水容器１８と水容器２５が接触して水容器１８に水滴が付着する。また、糞受け箱１２に投函された糞１９は、糞受け箱１２を取り出し処理する。
【００１９】  図４は、本発明の携帯トイレで、ボックス１上下の開閉を表した斜視図、ボックス１の上下開閉の支点は、バランスや大きさの開閉を考慮に入れ、自由に切れ目最終支点７０を移動出来る。
【００２０】  図５は、本発明の携帯トイレで、ボックス上部４０に取り付ける音センサー２６で、散歩に必要なペットの行動を音で訓練用に用いるもので、周波数または音声で音をだす。この音センサー２７は周波数の高低を何段階かの音にし、ペットに覚えさせ、または音声で使用する。図５の音センサーの先端３０にはスピーカーと光源３１を設け、上部には個々に音を発信するボタン３２ｆと３３ｇを設けることで音を区別し、ペットに命令音を出する。また、後部上側には全体の周波数の高低を替える枠３４を設けたことで、他の音センサー２７の個々の周波数が変更出来るようにする。
【００２１】  図６は、本発明の携帯トイレで、ボックス１内に搭載する制御手段（図示しない）により、ボックス開閉スイッチ５を押してから、ボックス１が閉じるまでを動かす自動制御の流れを表した図である。
【符号の説明】
【００２２】１    ボックス
２    取っ手
３    ペットボトル受け
４    太陽光パネル
５    ボックス開閉スイッチ
６    ロールペーパーホルダ
７    ロールペーパー
８    ペットボトル
９    形状記憶バネ
１０  ガイドローラーａ
１１  ガイドローラーｂ
１２  糞受け箱
１３  ガイドローラーｃ
１４  歯車
１５  ガイドローラーｄ
１６  ペーパー押さえ
１７  ベルトコンベア
１８  水容器
１９  糞
２０  センサー
２１  巻き上げ紐
２２  回転ローラー
２３  ガイドローラーｅ
２４  紐巻き上げ装置
２５  水容器
２６  音センサー
３０  スピーカー
３１  光源
３２  音ボタンｆ
３３  音ボタンｇ
３４  周波数変更ボタン
４０  ボックス上部
５０  ボックス下部
６０  切れ目線
７０  切れ目線最終支点
【図１】
2015019663.tif 000003
【図２】
2015019663.tif 000004
【図３】
2015019663.tif 000005
【図４】
2015019663.tif 000006
【図５】
2015019663.tif 000007
【図６】
2015019663.tif 000008